【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
複数の第１のバヨネット爪部を備える第１のマウント部と複数の第１の端子部とを備える撮像装置に対して着脱可能なアクセサリであって、
前記複数の第１のバヨネット爪部と係合可能な複数の第２のバヨネット爪部を備える第２のマウント部と、
前記撮像装置に前記アクセサリが装着された際に前記複数の第１の端子部と接触する複数の第２の端子部とを有し、
前記複数の第２の端子部は、前記複数の第２のバヨネット爪部とは異なる位置に設けられており、
前記第２のマウント部の中心軸の方向視において、該中心軸から伸びるとともに前記複数の第２の端子部のうち前記撮像装置と前記アクセサリとの間の通信に用いられる複数の端子部を通る複数の半直線の全ては、前記複数の第２のバヨネット爪部のうち所定の爪部を通ることを特徴とするアクセサリ。
【請求項２】
前記通信に用いられる前記複数の端子部の個数は６であることを特徴とする請求項１に記載のアクセサリ。
【請求項３】
前記複数の第２の端子部の個数は１２であることを特徴とする請求項１又は２に記載のアクセサリ。
【請求項４】
前記中心軸の方向視において、前記中心軸から伸びるとともに前記複数の第２の端子部のうち前記アクセサリが前記撮像装置に対して装着されているかどうかを判定するための端子部を通る半直線は、前記所定の爪部を通ることを特徴とする請求項２又は３に記載のアクセサリ。
【請求項５】
前記複数の第２の端子部を保持する端子保持部を有し、該端子保持部と前記第２のマウント部のうち一方は凸部を備え、他方は該凸部と係合する穴部を備えることを特徴とする請求項１乃至４のいずれか一項に記載のアクセサリ。
【請求項６】
前記中心軸の方向視において、前記中心軸から伸びるとともに前記凸部を通る半直線は、前記所定の爪部を通ることを特徴とする請求項５に記載のアクセサリ。
【請求項７】
前記複数の第２の端子部のうち、前記アクセサリが前記撮像装置に対して装着されているかどうかを判定するための前記端子部を基準端子部、該基準端子部に対して一方の側において前記基準端子部に隣接する端子部を第１の隣接端子部、前記基準端子部に対して他方の側において前記基準端子部に隣接する端子部を第２の隣接端子部、前記他方の側において前記第２の隣接端子部に隣接する端子部を第３の隣接端子部とするとき、
前記凸部及び前記穴部は、前記中心軸の方向視において、前記中心軸から伸びるとともに前記第１の隣接端子部を通る半直線と前記中心軸から伸びるとともに前記第３の隣接端子部を通る半直線との間の領域に設けられていることを特徴とする請求項５又は６に記載のアクセサリ。
【請求項８】
前記凸部及び前記穴部は、前記中心軸の方向視において、前記中心軸から伸びるとともに前記基準端子部を通る半直線と前記中心軸から伸びるとともに前記第３の隣接端子部を通る半直線との間の領域に設けられていることを特徴とする請求項７に記載のアクセサリ。
【請求項９】
前記複数の第２の端子部は、前記撮像装置に装着されたアクセサリの種類を判別するための端子部を含むことを特徴とする請求項１乃至８のいずれか一項に記載のアクセサリ。
【請求項１０】
前記中心軸の方向視において、前記中心軸から伸びるとともに前記撮像装置に装着されたアクセサリの種類を判別するための前記端子部を通る半直線は、前記複数の第２のバヨネット爪部の間を通ることを特徴とする請求項９に記載のアクセサリ。
【請求項１１】
前記複数の第２の端子部は、前記撮像装置及び前記アクセサリの通信制御系をグラウンドに接続するための端子部と、前記通信制御系の動作に用いられる電力を前記撮像装置から前記アクセサリに供給するための端子部とを含むことを特徴とする請求項１乃至１０のいずれか一項に記載のアクセサリ。
【請求項１２】
前記複数の第２の端子部は、前記撮像装置及び前記アクセサリのメカニカル駆動系をグラウンドに接続するための端子部と、前記メカニカル駆動系の動作に用いられる電力を前記撮像装置から前記アクセサリに供給するための端子部とを含むことを特徴とする請求項１乃至１１のいずれか一項に記載のアクセサリ。
【請求項１３】
前記複数の第２の端子部は、前記撮像装置から出力されるクロック信号を受信するための端子部と、前記撮像装置と前記アクセサリとの双方向データ通信を行うための端子部と、前記撮像装置にデータを送信するための端子部とを含むことを特徴とする請求項１乃至１２のいずれか一項に記載のアクセサリ。
【請求項１４】
前記複数の第２の端子部は、前記撮像装置にデータを送信するための前記端子部とは独立して前記撮像装置にデータを送信するための端子部を含むことを特徴とする請求項１３に記載のアクセサリ。
【請求項１５】
前記複数の第２の端子部は、前記撮像装置と前記アクセサリとの双方向データ通信を行うための前記端子部とは独立して前記撮像装置と前記アクセサリとの双方向データ通信を行うための端子部と、前記撮像装置からの通信要求信号を受信するための端子部とを含むことを特徴とする請求項１３又は１４に記載のアクセサリ。
【請求項１６】
光学系を有することを特徴とする請求項１乃至１５のいずれか一項に記載のアクセサリ。
【請求項１７】
レンズ装置に対して着脱可能であることを特徴とする請求項１乃至１６のいずれか一項に記載のアクセサリ。
【請求項１８】
前記レンズ装置と係合可能な複数の第３のバヨネット爪部を備える第３のマウント部を有し、該複数の第３のバヨネット爪部の周方向における寸法の最小値は、前記複数の第２のバヨネット爪部の間の切欠き部の周方向における寸法の最小値よりも大きいことを特徴とする請求項１７に記載のアクセサリ。
【請求項１９】
前記第２のマウント部は、前記撮像装置に前記アクセサリが装着された際に前記撮像装置が有するピンが挿入される凹部を有し、
前記中心軸の方向視において、前記凹部の中心及び前記中心軸を通る線と直交し前記中心軸を通る境界線に対して前記凹部が設けられている側を凹部側とするとき、前記複数の第２のバヨネット爪部は、前記凹部側に少なくとも一部がある第１及び第２の凹部側爪部と、前記境界線に対して前記凹部側の反対側に両端部がある反対側爪部とを含むことを特徴とする請求項１７又は１８に記載のアクセサリ。
【請求項２０】
前記レンズ装置と係合可能な複数の第３のバヨネット爪部を備える第３のマウント部を有し、
前記反対側爪部に隣接する第１の切欠き部の周方向における寸法は、前記中心軸の方向視において該第１の切欠き部と重なる前記第３のバヨネット爪部の周方向における寸法よりも小さく、
前記反対側爪部に隣接する第２の切欠き部の周方向における寸法は、前記中心軸の方向視において該第２の切欠き部と重なる前記第３のバヨネット爪部の周方向における寸法よりも小さいことを特徴とする請求項１９に記載のアクセサリ。
【請求項２１】
前記レンズ装置と係合可能な複数の第３のバヨネット爪部を備える第３のマウント部を有し、
前記反対側爪部に隣接する第１の切欠き部の周方向における寸法は、前記複数の第３のバヨネット爪部の夫々の周方向における寸法よりも小さく、
前記反対側爪部に隣接する第２の切欠き部の周方向における寸法は、前記複数の第３のバヨネット爪部の夫々の周方向における寸法よりも小さいことを特徴とする請求項１９又は２０に記載のアクセサリ。
【請求項２２】
前記レンズ装置と係合可能な複数の第３のバヨネット爪部を備える第３のマウント部を有し、
前記反対側爪部及び前記第１の凹部側爪部の最も離れた端部同士の周方向における間隔は、前記中心軸の方向視において前記反対側爪部及び前記第１の凹部側爪部と重なる前記第３のマウント部における第１及び第２の切欠き部の最も離れた端部同士の周方向における間隔よりも大きいことを特徴とする請求項１９乃至２１のいずれか一項に記載のアクセサリ。
【請求項２３】
前記レンズ装置と係合可能な複数の第３のバヨネット爪部を備える第３のマウント部を有し、
前記中心軸の方向視において前記反対側爪部及び前記第１の凹部側爪部と重なる前記第３のマウント部における第１及び第２の切欠き部の最も離れた端部同士の周方向における間隔は、前記複数の第２のバヨネット爪部のうち互いに隣接する二つの第２のバヨネット爪部の最も離れた端部同士の周方向における間隔よりも小さく、
前記中心軸の方向視において前記２の凹部側爪部と重なる前記第３のマウント部における第３の切欠き部及び前記第１の切欠き部の最も離れた端部同士の周方向における間隔は、前記複数の第２のバヨネット爪部のうち互いに隣接する二つの第２のバヨネット爪部の最も離れた端部同士の周方向における間隔よりも小さいことを特徴とする請求項１９乃至２２のいずれか一項に記載のアクセサリ。
【請求項２４】
前記第１のマウント部と前記複数の第１の端子部とを有し、請求項１乃至２３のいずれか一項に記載のアクセサリに対して着脱可能であることを特徴とする撮像装置。
【請求項２５】
請求項１乃至２３のいずれか一項に記載のアクセサリと請求項２４に記載の撮像装置とを備えることを特徴とする撮像システム。
【手続補正２】
【補正対象書類名】明細書
【補正対象項目名】発明の名称
【補正方法】変更
【補正の内容】
【発明の名称】アクセサリ及びこれを装着可能な撮像装置、撮像システム
【手続補正３】
【補正対象書類名】明細書
【補正対象項目名】０００７
【補正方法】変更
【補正の内容】
【０００７】
上記の目的を達成するために、本発明のアクセサリは、複数の第１のバヨネット爪部を備える第１のマウント部と複数の第１の端子部とを備える撮像装置に対して着脱可能なアクセサリであって、
前記複数の第１のバヨネット爪部と係合可能な複数の第２のバヨネット爪部を備える第２のマウント部と、
前記撮像装置に前記アクセサリが装着された際に前記複数の第１の端子部と接触する複数の第２の端子部とを有し、
前記複数の第２の端子部は、前記複数の第２のバヨネット爪部とは異なる位置に設けられており、
前記第２のマウント部の中心軸の方向視において、該中心軸から伸びるとともに前記複数の第２の端子部のうち前記アクセサリが前記撮像装置に対して装着されているかどうかを判定するための端子部を通る半直線は、前記複数の第２のバヨネット爪部のうち所定の爪部を通ることを特徴とする。
【手続補正４】
【補正対象書類名】明細書
【補正対象項目名】００１０
【補正方法】変更
【補正の内容】
【００１０】
（カメラシステムの構成）
初めに図１（ａ）を用いて本発明の実施例としてのカメラシステム（撮像システム）について説明する。図１（ａ）に示すように本実施例におけるカメラシステムは、カメラアクセサリとしての交換レンズ（光学機器、アクセサリ、レンズ装置）１００と、交換レンズ１００が取り外し可能に装着されるカメラ本体（撮像装置）１０で構成されている。つまり、交換レンズ１００はカメラ本体１０に対して装着可能、着脱可能である。
【手続補正５】
【補正対象書類名】明細書
【補正対象項目名】０１１２
【補正方法】変更
【補正の内容】
【０１１２】
また、本実施例においては保持部材３０３が位置決めピン３０３ｐを有し、レンズマウント３０１が穴部３０１ｈ３を備える構成を例示した。しかしながら、本発明はこのような構成に限定されるものではなく、保持部材３０３が穴部（貫通穴部あるいは凹部）を有し、レンズマウント３０１がこの穴部に係合する凸部を有していてもよい。すなわち、保持部材３０３とレンズマウント３０１のうち一方が凸部を有し、他方が穴部（貫通穴部あるいは凹部）を有していればよい。
【手続補正６】
【補正対象書類名】明細書
【補正対象項目名】０１１９
【補正方法】変更
【補正の内容】
【０１１９】
次に、図１３、１４を参照して、本変形例に係るマウント機構のバヨネット結合方法について説明する。なお、レンズマウント３０１に設けられた各バヨネット爪は、操作部５０３０の開口部分および固定マウント部５０２０の開口部分を挿通した状態で、可動マウント５０１０の可動マウント爪部５０１１ａ〜ｃと係合可能な状態となる。図１３に図示する状態は、操作部材５０３０が非ロック位置に位置する状態である。この状態では、レンズマウント３０１のレンズマウント面と固定マウント部５０２０のカメラマウント面５０２１とを当接するが、中心軸方向から見て、レンズマウント３０１および可動マウント部５０１０のそれぞれの爪部同士が互いに係合せず重ならない。図１３（ｃ）は、図１３（ｂ）に図示するＣ−Ｃ断面の断面図を示す。この状態から、操作部５０３０を回転操作した状態のマウント機構５０００を例示するのが図１４である。